(57)【要約】      （修正有）【課題】愛玩動物用の商品は多種多様化を極めている。中でも、愛玩動物用の衣服は、そのファッション性と機能性の両方の観点からも多くの技術が提案されている。一方、近年の地球温暖化により、夏場の暑さは年々厳しさを増しているにもかかわらず、過日発生した大震災による電力不足の影響で、今後はより一層の節電を心がけねばならない。このような生活環境の中で、動物は、人間以上に過ごしづらくなっていくことが予想される。季節を問わず、動物が快適に過ごせるような動物用の衣服を提供する。【解決手段】動物用の衣服であって、前記衣服の内面側に収納部が設けられ、該収納部に保冷剤または保温剤を収納可能であることを特徴とする動物用の衣服である。【選択図】図１
0003172210.tif 000002
【実用新案登録請求の範囲】
【請求項１】
動物用の衣服であって、前記衣服の内面側に収納部が設けられ、前記収納部に保冷剤または保温剤を収納可能であることを特徴とする動物用の衣服。
【請求項２】
前記動物用の衣服には、動物の前肢を通して着用するための右前肢通し穴および左前肢通し穴が設けられ、前記収納部は、少なくともそれらの後方に形成されることを特徴とする請求項１に記載の動物用の衣服。
【請求項３】
前記収納部は、少なくとも前記右前肢通し穴および前記左前肢通し穴の間に形成されることを特徴とする請求項１または請求項２に記載の動物用の衣服。
【考案の詳細な説明】
【技術分野】
【０００１】
本考案は、犬や猫等の動物に着用させる衣服に関するものである。
【背景技術】
【０００２】
近年、犬や猫等の愛玩動物用の商品は多種多様化を極めている。中でも、愛玩動物用の衣服は、そのファッション性と機能性の両方の観点からも多くの技術が提案されている。具体的には、愛玩動物を寒さから守るファッショナブルなセーターや、雨や雪をしのぎつつ通気性が良く、熱のこもらないペット用衣服などがある。
【先行技術文献】
【特許文献】
【０００３】
【特許文献１】特開平８−１６７７２０
【特許文献２】特開２００４−７３６２０
【考案の概要】
【考案が解決しようとする課題】
【０００４】
このような愛玩動物用の衣服は、人のように汗による体温調整機能が弱い犬、猫等の動物にとっては大変有効なものである。
【０００５】
しかしながら、近年の地球温暖化により、夏場の暑さは年々厳しさを増している。また、過日発生した大震災による電力不足の影響で、今後はより一層の節電を心がけねばならない。夏場、冬場を問わず、このような生活環境の中で、動物は、人間以上に過ごしづらくなっていくことが予想される。
【０００６】
そこで、本考案では、季節を問わず、動物が快適に過ごすことのできる動物用の衣服を提案することを目的とする。
【課題を解決するための手段】
【０００７】
前述した目的を達成するために、本考案は、動物用の衣服であって、前記衣服の内面側に収納部が設けられ、前記収納部に保冷剤または保温剤を収納可能であることを特徴とするものである。
【０００８】
本考案によれば、動物に、前記収納部に保冷剤または保温剤を収納した動物用の衣服を着用させることができる。夏場は、収納部に保冷剤を収納すれば、動物の体に収納部が接触して、人のように汗による体温調整機能が弱い動物であっても、体表面から体を冷やすことができ、快適に過ごすことができる。
【０００９】
また、冬場は、前記収納部に保温剤を収納すれば、動物の体表面から体を温めることができ、冬場も快適に過ごすことができる。
【００１０】
また、前記動物用の衣服には、動物の前肢を通して着用するための右前肢通し穴および左前肢通し穴が設けられ、前記収納部は、少なくともそれらの後方に形成されてもよい。
【００１１】
これは、動物の前肢後方すなわち脇腹付近には動脈があり、この部位を、保冷剤によって冷やしたり、保温剤によって温めたりするのである。このようにすることで、体全体を巡る血管を冷やしたり温めたりすることができ、体全体の体温を調整することができる。
【００１２】
さらに、前記収納部は、少なくとも前記右前肢通し穴および前記左前肢通し穴の間に形成されてもよい。  
【００１３】
この部位は、動物の胸部に相当する。動物の胸部の収納部は、比較的広い面積を確保でき、平坦部であり、さらに収納部を動物に接触させやすい。したがって、動物の体全体の体温を調整するのに大変有効である。
【考案の効果】
【００１４】
本考案によれば、季節を問わず、犬や猫等の動物が快適に過ごすことのできる動物用の衣服を提供することができる。
【図面の簡単な説明】
【００１５】
【図１】動物用の衣服の内面側全体構成図
【図２】動物用の衣服の前身外面側構成図
【図３】動物用の衣服の後身外面側構成図
【図４】動物用の衣服の使用例を示す図
【考案を実施するための形態】
【００１６】
以下、図面を参照にしながら本考案の実施形態について説明する。はじめに、図１、図２、図３を参照に動物用の衣服１の構成について説明する。
【００１７】
図１は、動物用の衣服１の内面側全体構成図である。動物用の衣服１は、動物の前身、すなわち、主に腹部および胸囲を覆う前身被覆部３と、後身、すなわち、主に背部を覆う右後身被覆部５および左後身被覆部７との３つの部位により構成されている。この動物用の衣服１の右後身被覆部５と左後身被覆部７とを、後述する構成により、動物の背部で接合させることで、立体的な動物用の衣服１となる。図２は、その前身外面側から見た図であり、図３は後身外面側から見た図である。図１、図２、図３中、それぞれ、矢印前方が動物の頭部方向であり、矢印後方が臀部方向である。
【００１８】
図１の動物用の衣服１において、動物の前肢に対応する位置には、右前肢通し穴９および左前肢通し穴１１が設けられている。また、左後身被覆部７端部には接合部１５が設けられており、右後身被覆部５端部には被接合部１７が設けられている。接合部１５と被接合部１７には一対の幅広の面ファスナーが施されており、互いに面的に接合するようになっている。さらに、左後身被覆部７には調節ベルト１９が設けられるとともに、右後身被覆部５には調節ベルト１９を係合するための調節ベルト係合部２１が設けられている。以上説明した動物用の衣服１は、接合部１５と被接合部１７とを接合し、調節ベルト１９を調節ベルト係合部２１に係合させることで、図２および図３のように、立体的に形成される。
【００１９】
続いて、保冷剤または保温剤を収納するための収納部２３、収納部２７、収納部３１について説明する。収納部２３は、右前肢通し穴９の図中矢印後方であって、前身被覆部３から右後身被覆部５へわたる位置に設けられている。収納部２３には、中に収納される保冷剤または保温剤が出てくることのないように、面ファスナーを施した開閉部２５が設けられている。
【００２０】
一方、収納部２７は、左前肢通し穴１１の図中矢印後方であって、前身被覆部３から左後身被覆部７へわたる位置に設けられている。収納部２７にも、中に収納される保冷剤または保温剤が出てくることのないように、面ファスナーを施した開閉部２９が設けられている。
【００２１】
また、収納部３１は、右前肢通し穴９および左前肢通し穴１１の間に設けられている。収納部３１にも、中に収納される保冷剤または保温剤が出てくることのないように、面ファスナーを施した開閉部３３が設けられている。  
【００２２】
さらに、前身被覆部３の後方であって、収納部２３と収納部２７との間には、動物の腹部に対応する位置を立体的に仕立てるために、ダーツ１３が形成されている。
【００２３】
以上のように構成された動物用の衣服１は、内面側の収納部に保冷剤または保温剤を収納するため、従来の動物用の衣服に比べ、内面側の厚みが増す。このため、動物に窮屈な不快感を与えないように、動物の体に対して予めゆとりをもって設計されている。
【００２４】
なお、本考案において使用される保冷剤としては、可撓性を有する袋体内部に、破袋時に液漏れによる汚損を最低限に抑えることができ、保冷性に優れ、かつ氷温下でも適度な柔軟性を保有するゲル状物を封入した物が好適である。このような材料を使用すると、氷や水と違い動物の体毛を濡らすことがない。また、凍結した保冷剤を使用するため、長時間使用することができる。例えば、気温３５℃前後の場合に１５０グラムの保冷剤を使用するのであれば、おおよそ３時間半にわたり使用可能である。  
【００２５】
また、保温剤としては、近年市場に出回っている鉄の微粒子の酸化熱を応用した、小型で軽量の携帯用加温商品（いわゆる使い捨てカイロ）が好適である。このような保温剤も長時間にわたり使用可能である。
【００２６】
尚、保冷剤または保温剤は必ずしも全ての収納部に収納させる必要はない。気温に応じて、収納する数や大きさを変えても良い。また、収納部の数や位置もこれに限るものではなく、動物によってより良い数や位置に設けるものである。
【００２７】
また、動物用の衣服１の素材としては、厚手であって通気性の良い綿素材、いわゆるキャンバス地が適している。このような素材であれば、動物は通気性が良いために快適に着用でき、さらに、厚手であるので容易に丸洗いでき、清潔に繰り返し使用することができる。加えて、動物用の衣服１の全周囲と、右前肢通し穴９および左前肢通し穴１１の周囲には補強用布テープを施しており、動物用の衣服１が動物の体に摺擦して傷むのを防いでいる。
【００２８】
収納部２３、収納部２７および収納部３１については、衣服１の本体素材と同じものを用いてもよく、または、本体素材よりも薄手であって通気性の良い綿素材を用いてもよい。収納部にこのような素材を選ぶことで、保冷剤または保温剤の効果をより発揮することができる。
【００２９】
続いて、上述した動物用の衣服１の使用例について説明する。図４は、動物用の衣服１を犬に着用させた例である。以下、図４に加え、適宜、図２および図３も参照にしつつその説明を行う。
【００３０】
犬に動物用の衣服１を着用させるとき、はじめに、犬の前肢を右前肢通し穴９と左前肢通し穴１１に通させる。続いて、犬の背部、すなわち、右後身被覆部５と左後身被覆部７の接合部１５と被接合部１７を接合し、調節ベルト１９を調節ベルト係合部２１に係合させる。犬の背部で、接合部１５と被接合部１７とを接合させるので、容易に犬に動物用の衣服１を着脱させることができる。また、調節ベルト１９を調節ベルト係合部２１に係合させるので、ひとたび犬に着用させた動物用の衣服１が、着用中の犬の動作により、容易にゆるんだり脱げたりしないように締めることができる。
【００３１】
図４では、以上のようにして犬に動物用の衣服１を着用させたときに、犬の左脇腹付近に収納部２７が接触していることが視認できる。犬の脇腹付近には動脈があるので、この部位を保冷剤によって冷やしたり保温剤によって温めたりすることにより、犬の体全体を巡る血管を冷やしたり温めたりすることとなり、犬の体全体の体温を調整することができる。なお、図４中には表れていないが、収納部２３も犬の右脇腹に接触して同様の効果を得る。
【００３２】
また、犬の胸部には、収納部３１が接触していることも視認できる。犬の胸部では、比較的広い面積を確保でき、平坦部であるので、収納部３１に収納される保冷剤または保温剤を十分に接触させることができる。したがって、犬の体全体の体温を調整するのに大変有効である。
【００３３】
また、動物用の衣服１は、上述した理由により犬の体に対して予めゆとりをもって設計されているが、犬の腹部に対応する位置には、ダーツ１３が立体的に仕立てられている。このため、犬に動物用の衣服１を着用させたときに、腹部付近に対応する位置が撓むことがない。したがって、収納部２３、収納部２７に収納された保冷剤または保温剤を緩すぎず締めすぎず適度に接触させることができ、犬は長時間リラックスした状態で快適に動物用の衣服１を着用することができる。
【００３４】
以上、添付図を参照しながら、本考案の実施形態を説明したが、本考案の技術的範囲は、上述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【符号の説明】
【００３５】
１………動物用の衣服
３………前身被覆部
５………右後身被覆部
７………左後身被覆部
９………右前肢通し穴
１１………左前肢通し穴
１３………ダーツ
１５………接合部
１７………被接合部
１９………調節ベルト
２１………調節ベルト係合部
２３、２７、３１………収納部
２５、２９、３３………開閉部
【図１】
0003172210.tif 000003
【図２】
0003172210.tif 000004
【図３】
0003172210.tif 000005
【図４】
0003172210.tif 000006